(57)【要約】【課題】一つの回動部材を回動操作することで、水流の切替と排水弁の開閉動作の切替とができる構成のものにおいて、連動部材を所定位置へ戻すための付勢手段を別途必要としない構成とする。【解決手段】回動部材と、回動部材に設けられ水流切替用溝部およびこれに連なった排水弁開閉用溝部を有するカム溝と、カム溝に対して交差するように設けられた固定側ガイド溝と、回動部材に設けられた排水弁操作部と、回動可能な水流切替用レバーを有した洗濯タイマーと、一端部が水流切替用レバーに回動可能に連結されるとともに、他端部の挿入部がカム溝および固定側ガイド溝に移動可能に挿入された連動部材と、を備える。回動部材の回動操作によりカム溝のうち水流切替用溝部が連動部材の挿入部を動かす領域では連動部材を介して水流切替用レバーを回動させて水流の切替を行い、排水弁開閉用溝部が連動部材の挿入部を残して回動する領域では排水弁操作部により排水弁を開閉動作させる。【選択図】図５
2014030592.tif 000002
【特許請求の範囲】
【請求項１】
水流の切替と排水弁の開閉とを行う回動部材と、
この回動部材に設けられ、水流切替用溝部およびこれに連なった排水弁開閉用溝部を有するカム溝と、
このカム溝に対して交差するように設けられた固定側ガイド溝と、
前記回動部材に設けられた排水弁操作部と、
回動可能な水流切替用レバーを有した洗濯タイマーと、
一端部が前記水流切替用レバーに回動可能に連結されるとともに、他端部の挿入部が前記カム溝および前記固定側ガイド溝に移動可能に挿入された連動部材と、を備え、
前記回動部材の回動操作により前記カム溝のうち前記水流切替用溝部が前記連動部材の前記挿入部を動かす領域では前記連動部材を介して前記水流切替用レバーを回動させて水流の切替を行い、前記回動部材の回動操作により前記カム溝のうち前記排水弁開閉用溝部が前記連動部材の前記挿入部を残して回動する領域では前記排水弁操作部により前記排水弁を開閉動作させることを特徴とする洗濯機。
【請求項２】
前記カム溝のうち前記排水弁開閉用溝部は前記回動部材の回動中心からの半径がほぼ一定の円弧状に形成されていて、この排水弁開閉用溝部が前記連動部材の前記挿入部に対して移動する領域では前記排水弁操作部により前記排水弁を開閉動作させるが、前記水流切替用レバーは回動させず、
前記カム溝のうち前記水流切替用溝部は前記回動部材の回動中心からの半径が変化するように形成されていて、この水流切替用溝部が前記連動部材の前記挿入部に対して移動する領域では前記連動部材を介し前記水流切替用レバーを回動させて水流の切替を行うが、前記排水弁の開閉動作はしないように構成されていることを特徴とする請求項１記載の洗濯機。
【請求項３】
前記カム溝は、前記回動部材の回動中心からの半径がほぼ一定の円弧状に形成された前記排水弁開閉用溝部と、前記回動部材の回動中心からの半径が変化するように形成された前記水流切替用溝部とが連続して設けられていて、前記排水弁開閉用溝部と前記水流切替用溝部との接続部分ではそれぞれの接線が連続するようにつながっていることを特徴とする請求項１または２記載の洗濯機。
【請求項４】
前記固定側ガイド溝は、前記回動部材を回動可能に支持するベース部材に一体に設けられていて、前記ベース部材に前記洗濯タイマーも取り付けられていることを特徴とする請求項１〜３のいずれか一項に記載の洗濯機。
【発明の詳細な説明】
【技術分野】
【０００１】
本発明の実施形態は洗濯機に関する。
【背景技術】
【０００２】
洗い槽と脱水受槽とを備えた二槽式洗濯機において、一つの操作つまみにより一つの回動部材を回動操作することで、水流の切替と排水弁の開閉とができる構成のものがある。これは次のような構成となっている、操作つまみによって回動操作される回動部材と、この回動部材に設けられた排水弁操作部と、回動部材に設けられたほぼ円弧状をなすガイド溝と、回動可能な水流切替レバーを有した洗濯タイマーと、一端部が前記水流切替レバーに回動可能に連結されるとともに他端部の突起が前記ガイド溝に移動可能に挿入（遊嵌）された連動部材と、この連動部材を所定方向に付勢するばねと、を備えている。
【０００３】
この構成において、操作つまみが「標準」位置にある状態から操作つまみにより回動部材を一方向へ回動操作して「弱」位置へ回動させた場合には、ガイド溝の端部により前記ばねの付勢力に抗して連動部材の突起を押して当該連動部材を移動させることで水流切替レバーを回動操作し、これにより水流が「弱」に切り替えられる。また、操作つまみが「弱」位置にある状態から当該操作つまみにより回動部材を前記一方向とは反対方向へ回動操作して「標準」位置へ回動させた場合には、前記ガイド溝も同方向へ移動するが前記連動部材の突起を押すことはできない。このため、連動部材はばねの付勢力により復帰方向へ移動することになり、これにより水流切替レバーが元の位置へ戻され、水流が「標準」に切り替えられる。このとき、排水弁操作部も回動部材と一体に回動するが、排水弁は閉鎖したままである。
【０００４】
一方、操作つまみが前記「標準」位置にある状態から操作つまみを前記一方向とは反対方向へ回動操作し「排水」位置まで回した場合には、ガイド溝が連動部材の突起を残したままで回動部材が同方向へ回動し、これに伴い排水弁操作部が同方向へ回動して弁操作ワイヤを介して排水弁の弁体を引っ張ることにより当該排水弁を開放させるようになる。また、操作つまみを「排水」位置から「標準」位置方向へ回動操作した場合には、前述とは逆に排水弁操作部が元位置へ戻り、これに伴い排水弁は閉鎖方向へ付勢するばねの付勢力により閉鎖状態に戻される。このとき、連動部材は移動せず、水流切替レバーは「弱」位置のままである。
【０００５】
上記した構成のものでは、回動部材の回動操作に伴いガイド溝により連動部材を一方向へは移動させるが、反対方向へは戻すことができない。このため、連動部材を元位置方向へ戻すためのばね（付勢手段）が別途必要となる。
【先行技術文献】
【特許文献】
【０００６】
【特許文献１】特許第３８１２１０９号公報
【発明の概要】
【発明が解決しようとする課題】
【０００７】
そこで、一つの回動部材を回動操作することで、水流の切替と排水弁の開閉動作の切替とができる構成のものにおいて、連動部材を所定位置へ戻すための付勢手段を別途必要としない洗濯機を提供する。
【課題を解決するための手段】
【０００８】
本実施形態の洗濯機は、水流の切替と排水弁の開閉とを行う回動部材と、この回動部材に設けられ、水流切替用溝部およびこれに連なった排水弁開閉用溝部を有するカム溝と、このカム溝に対して交差するように設けられた固定側ガイド溝と、回動部材に設けられた排水弁操作部と、回動可能な水流切替用レバーを有した洗濯タイマーと、一端部が前記水流切替用レバーに回動可能に連結されるとともに、他端部の挿入部が前記カム溝および前記固定側ガイド溝に移動可能に挿入された連動部材と、を備える。回動部材の回動操作によりカム溝のうち水流切替用溝部が連動部材の挿入部を動かす領域では連動部材を介して水流切替用レバーを回動させて水流の切替を行い、回動部材の回動操作によりカム溝のうち排水弁開閉用溝部が連動部材の挿入部を残して回動する領域では排水弁操作部により排水弁を開閉動作させる。
【図面の簡単な説明】
【０００９】
【図１】一実施形態の洗濯機の概略的な破断正面図
【図２】全体の外観斜視図
【図３】洗濯槽下部付近の縦断正面図
【図４】操作部付近の平面図
【図５】操作部におけるベース部材の裏側付近の背面図（回動部材が「強水流」位置にある状態）
【図６】図５中Ｘ６−Ｘ６線に沿う断面図
【図７】図５中Ｘ７−Ｘ７線に沿う断面図
【図８】操作部におけるベース部材単体の背面図
【図９】連動部材における他端部の挿入部付近の斜視図
【図１０】回動部材が「弱水流」位置に回動された状態での図５相当図
【図１１】回動部材が「排水」位置に回動された状態での図５相当図
【発明を実施するための形態】
【００１０】
以下、一実施形態につき、図面を参照して説明する。
まず、図１および図２には、洗濯機、特には二槽式洗濯機の全体構成が示されている。これら図１および図２において、洗濯機本体１の基台２は、合成樹脂製で、矩形容器状をなしている。この基台２上に、合成樹脂製の槽体３が設けられている。この槽体３には、洗濯槽４と脱水槽５とが左右に並置された状態で一体に設けられている。洗濯槽４には、内周側部の一箇所に溢水ストレーナ６が装着されており、また、内下部にパルセータ７が回転可能に配設されている。パルセータ７には、上面に複数の撹拌突起８が設けられている。脱水槽５の内部には、周側部に多数の脱水孔９を有する脱水かご１０が回転可能に配設されている。脱水槽５の下方には、脱水かご１０を回転駆動する脱水用モータ１１と、その脱水用モータ１１の回転を制止するブレーキ装置１２が配設されている。
【００１１】
洗濯槽４の底部には、図３に示すように排水口１３が設けられており、この排水口１３には排水管路１４が接続されている。排水管路１４の先端部には、排水弁１５における弁ケース１６の入水口１６ａが接続されている。従って、排水弁１５は排水管路１４を介して排水口１３に通じている。排水弁１５は、弁ケース１６の内部に有した弁体１７を、常時は圧縮スプリング１８により弁座１９に圧接させて閉塞状態に保ち、この状態から、弁棒２０および連結スプリング２１を介し弁操作ワイヤ２２により引き上げて開放状態とするものである。弁操作ワイヤ２２の他端部は、後述する操作部３７に設けられた回動部材５０の排水弁操作部５６に連結されている。
【００１２】
弁ケース１６の出水口１６ｂには、機外排水のための図示しない排水ホースが接続されるようになっている。脱水槽５の底部にも排水口２３（図１参照）が設けられており、この排水口２３も前記排水ホースに接続されている。前記排水管路１４において、排水口１３の下方であって且つ前記排水弁１５より上流側に位置させて、図３に示すように異物捕獲部２４が形成されている。この異物捕獲部２４は、この場合、排水管路１４の該当部分を一段低めた凹部から形成されているが、それに代えて、排水管路１４の該当部分に複数のとげ状突起等を設けることにより構成するようにしても良い。
【００１３】
洗濯槽４の外下面部には軸受ハウジング２５が設けられている。この軸受ハウジング２５から上方へ突出した軸端部２６ａは、洗濯槽４の底部を水密且つ回転可能に貫通させて洗濯槽４の内下部に突出していて、その突出部分に前記パルセータ７がねじ２７により着脱可能に取り付けられている。軸受ハウジング２５から下方へ突出した他方の軸端部２６ｂには従動プーリ２８が取り付けられている。洗濯槽４の下方において従動プーリ２８からやや離間した位置には、図１に示すように洗濯用モータ２９が配設されていて、この洗濯用モータ２９の回転軸に取り付けられた駆動プーリ３０と従動プーリ２８との間に伝動ベルト３１が掛け渡されている。
【００１４】
この結果、パルセータ７は、洗濯用モータ２９により、駆動プーリ３０、伝動ベルト３１、従動プーリ２８を順に介して回転駆動、特には時計回りと反時計回りの正逆両方向に交互に低速回転駆動され、その回転により、洗濯槽４に収容された洗濯物（図示せず）を洗濯水（これも図示せず）と共に撹拌して洗濯をするようになっている。また、脱水かご１０は、前記脱水用モータ１１により直に回転駆動、中でも一方向に高速回転駆動され、その回転により、脱水かご１０内に収容された洗濯物を遠心脱水するようになっている。従って、洗濯用モータ２６、駆動プーリ３０、伝動ベルト３１、従動プーリ２８は、パルセータ５を回転駆動する駆動装置を構成するものであり、脱水用モータ１１は脱水かご１０を回転駆動する駆動装置として機能するものである。
【００１５】
前記槽体３の上部には上部カバー３４が装着されている。この上部カバー３４には、前記洗濯槽４の上面開口部を開閉する洗濯蓋３５が着脱可能に設けられているとともに、前記脱水槽５の上面開口部を開閉する脱水蓋３６が設けられている。脱水蓋３６は、後部を支点に上下方向に回動可能とされている。上部カバー３４の後部には、操作部３７が設けられている。
【００１６】
この操作部３７におけるベース部材３８の上面３８ａには、図４にも示すように、左から洗濯タイマー用の操作つまみ４０と、水流切替用および排水弁開閉用の操作つまみ４１と、脱水タイマー用の操作つまみ４２と、ホース接続口４３と、注水先切替用の操作つまみ４４とが設けられている。このうち、洗濯タイマー用の操作つまみ４０は、ベース部材３８の裏面３８ｂ側に設けられた洗濯タイマー４５（図５参照）を操作するためのものである。洗濯タイマー４５の裏面には、水流切替用レバー４６が軸部４６ａを支点に回動可能に設けられている。この水流切替用レバー４６は、水流を形成するパルセータ７の反転時限を切り替えるためのもので、その回動により強水流と弱水流とを切り替えることができる。
【００１７】
水流切替用および排水弁開閉用の操作つまみ４１は、後述するように、前記水流切替用レバー４６を介して水流の強弱の切り替えと、前記排水弁１５の開閉動作の切り替えとを操作するためのものである。脱水タイマー用の操作つまみ４２は、ベース部材３８の裏面３８ｂ側に設けられた脱水タイマー４７（図５参照）を操作するためのものである。ホース接続口４３は、一端部が水道の蛇口に接続される図示しない給水ホースの他端部を接続するためのものである。注水先切替用の操作つまみ４４は、左右方向にスライド可能に設けられていて、その操作つまみ４４を左方向へスライド操作した場合には、給水ホースから供給される水道水を洗濯槽４側へ供給し、操作つまみ４４を右方向へスライド操作した場合には、給水ホースから供給される水道水を脱水かご１０側へ供給する構成となっている。
【００１８】
さて、上記水流切替用および排水弁開閉用の操作つまみ４１によって操作される部分について、図５〜図１１も参照して説明する。ベース部材３８には、操作つまみ４１を取り付ける部分に対応して円形の取付孔４９（図６、図８参照）が設けられていて、この取付孔４９に、回動部材５０がベース部材３８の裏側から回動可能に嵌合されている。回動部材５０の回動中心となる連結軸部５１が取付孔４９を貫通してベース部材３８の上面３８ａ側に突出していて、この連結軸部５１に前記操作つまみ４１が取着されている。したがって、操作つまみ４１を回動操作することにより、回動部材５０も同方向へ回動操作されるようになっている。回動部材５０の回動中心をＯで示す。
【００１９】
回動部材５０には、これの厚さ方向に貫通したカム溝５２が形成されている。このカム溝５２は、排水弁開閉用溝部５３と水流切替用溝部５４とが連続するように有している。このうち排水弁開閉用溝部５３は、回動部材５０の回動中心Ｏからの半径ｒがほぼ一定の円弧状に形成されている。また、水流切替用溝部５４は、その回動中心Ｏからの半径ｒが変化する曲線状に形成されている。そして、排水弁開閉用溝部５３と水流切替用溝部５４との接続部分５５（図１０参照）では、それぞれの接線が連続するように曲線でつながっている。
【００２０】
回動部材５０には、カム溝５２を設けた部分と回動中心Ｏを挟んだ反対側に位置させて、排水弁操作部５６が設けられていて、この排水弁操作部５６に、前記弁操作ワイヤ２２の他端部が連結されている。なお、図５において、符号５７は、弁操作ワイヤ２２の途中部を引っ掛ける引掛け部で、操作部３７においてベース部材３８とは別の部材に設けられている。また、回動部材５０の外周部の１箇所には、位置決め凸部５０ａが設けられている。
【００２１】
ベース部材３８の裏面３８ｂには、図８に示すように、取付孔４９の外側に位置させて固定側ガイド溝５８が設けられている。この固定側ガイド溝５８は、取付孔４９の外側から脱水タイマー取付部５９側に向けて直線状に延びている。前記回動部材５０をベース部材３８の裏側に配置した状態で、前記カム溝５２と固定側ガイド溝５８とは、回動部材５０の回動位置にかかわらず常に交差するようになっている。ベース部材３８の裏面３８ｂにおいて、取付孔４９の周りに位置させて、第１位置決め部６０と第２位置決め部６１とが設けられている。このうち第１位置決め部６０は、図８において取付孔４９の手前側に配置され、半円筒部を２つ並べて立設した形態となっていて、平面的に見て「ｍ」字状をなしている（図５参照）。半円筒部間に凹部６０ａが形成されている。第２位置決め部６１は、図８において第１位置決め部６０の左側に配置され、一つの半円筒部を立設した形態となっていて、平面的に見て円弧状をなしている（図１０参照）。これら第１および第２位置決め部６０，６１は、それぞれ弾性変形が可能に形成されている。
【００２２】
そして、回動部材５０におけるカム溝５２と前記水流切替用レバー４６の他端部との間に連動部材６３が設けられている。この連動部材６３は、図５中左右方向に延びるレバー状をなしていて、図６に示すように、一端部の連結部６４が、水流切替用レバー４６における他端部の連結孔４６ｂに回動可能に連結されている。また、連動部材６３の他端部には、図９に示すように、軸状の挿入部６５が設けられていて、この挿入部６５の先端部が、図６および図７に示すように、前記カム溝５２および固定側ガイド溝５８に移動可能に挿入されている。挿入部６５の外周部には、連動部材６３の長手方向に突出する鍔部６６が突設されている。この鍔部６６は、図６に示すように、固定側ガイド溝５８とカム溝５２との間に位置して、カム溝５２に対して交差していて、挿入部６５がカム溝５２から抜けることを防止している。なお、図８において、ベース部材３８には、取付孔４９を挟んで脱水タイマー取付部５９とは反対側に洗濯タイマー用取付孔６７が設けられていて、ここに洗濯タイマー４５が取り付けられている。
【００２３】
次に上記構成の作用を説明する。
水流切替用および排水弁開閉用の操作つまみ４１が、図４に示すように「強水流」位置に位置された状態では、裏側の回動部材５０は、図５に示す位置に回動されている。この状態では、回動部材５０の位置決め凸部５０ａが、ベース部材３８の裏面３８ｂにおける第１位置決め部６０の凹部６０ａに入り込んでいて、回動部材５０ひいては操作つまみ４１は「強水流」位置に位置決めされている。また、この状態では、回動部材５０のカム溝５２における排水弁開閉用溝部５３と水流切替用溝部５４との接続部分５５が、固定側ガイド溝５８の先端部付近に位置している。また、連動部材６３における他端部の挿入部６５が、カム溝５２の前記接続部分５５および固定側ガイド溝５８の先端部付近に挿入配置されていて、連動部材６３における一端部の連結部６４が連結された水流切替用レバー４６は、図５において矢印Ｂ１方向へ回動された状態となっている。この状態では、「強水流」が設定されている。さらに、回動部材５０に設けられた排水弁操作部５６は、図５において、回動部材５０の回動中心Ｏの右横に位置している。この状態では、排水弁１５の弁体１７は圧縮スプリング１８の付勢力で閉鎖位置に保持されていて、排水弁１５としては閉鎖状態となっている。
【００２４】
そして、操作つまみ４１が、図４の「強水流」位置から「弱水流」位置方向である図４の矢印Ａ１方向へ回動操作されると、回動部材５０も同矢印Ａ１方向へ回動される。図５では、裏側から見ているため、矢印の向きが逆向きとなる。すると、カム溝５２における水流切替用溝部５４が、連動部材６３の挿入部６５を移動させるとともに、挿入部６５は固定側ガイド溝５８に沿って移動する。このとき、水流切替用溝部５４は、回動中心Ｏからの半径が小さくなるように変化しているので、連動部材６３の挿入部６５は固定側ガイド溝５８に沿って回動部材５０の回動中心Ｏに近付く方向（図１０の矢印Ｃ１方向）へ移動するようになる。これに伴い、連動部材６３が同矢印Ｃ１方向へ移動するとともに、水流切替用レバー４６が図１０の矢印Ｂ２方向へ回動する。そして、操作つまみ４１が「弱水流」位置まで回動すると、回動部材５０の位置決め凸部５０ａが、図１０に示すように第２位置決め部６１を乗り越えてこれに係合することで、回動部材５０ひいては操作つまみ４１は「弱水流」位置に位置決めされる。この状態では、水流切替用レバー４６が矢印Ｂ２方向へ回動されることで、「弱水流」に設定される。この場合、回動部材５０の回動に伴い排水弁操作部５６も矢印Ａ１方向へ回動されるが、これは弁操作ワイヤ２２が緩む方向であるため、排水弁１５は閉鎖されたままである。
【００２５】
図１０の「弱水流」位置にある状態から操作つまみ４１が「強水流」位置まで回動される場合は、各部材が上述とは逆向きに回動または移動し、図５に示す「強水流」位置の状態へ戻される。具体的には、操作つまみ４１により回動部材５０が、図１０の矢印Ａ２方向へ回動されると、カム溝５２における水流切替用溝部５４が、連動部材６３の挿入部６５を移動させるとともに、挿入部６５は固定側ガイド溝５８に沿って移動する。このとき、水流切替用溝部５４は、回動中心Ｏからの半径が大きくなるように変化しているので、連動部材６３の挿入部６５は固定側ガイド溝５８に沿って回動部材５０の回動中心Ｏから遠ざかる方向（図１０の矢印Ｃ１とは反対方向）へ移動するようになる。これに伴い、連動部材６３が同矢印Ｃ１とは反対方向へ移動するとともに、水流切替用レバー４６が図１０の矢印Ｂ２とは反対方向(図５の矢印Ｂ１方向)へ回動する。そして、操作つまみ４１が「強水流」位置まで回動すると、回動部材５０の位置決め凸部５０ａが、図５に示すように第１位置決め部６０の凹部６０ａに入り込むことで、回動部材５０ひいては操作つまみ４１は「強水流」位置に位置決めされる。この状態では、水流切替用レバー４６が矢印Ｂ１方向へ回動されることで、「強水流」に設定される。この場合、回動部材５０の回動に伴い排水弁操作部５６も矢印Ａ２方向へ回動されるが、排水弁１５は閉鎖されたままである。
【００２６】
一方、操作つまみ４１が図４の「強水流」位置にある状態から「排水」位置方向である図４の矢印Ａ２方向へ回動操作されると、回動部材５０も図５の矢印Ａ２方向へ回動される。すると、カム溝５２における排水弁開閉用溝部５４が、連動部材６３の挿入部６５を残して同矢印Ａ２方向へ回動することになる。このとき、排水弁開閉用溝部５４は、回動中心Ｏからの半径がほぼ一定となっているので、挿入部６５を移動させる力は発生せず、連動部材６３は図５に示す位置に留まったままの状態で、水流切替用レバー４６は回動操作されず、回動部材５０のみが矢印Ａ２方向へ回動することになる。
【００２７】
そして、回動部材５０が、図５の位置から矢印Ａ２方向へ約９０度回動されると、図１１に示すように、排水弁操作部５６も同矢印Ａ２方向へ約９０度回動され、これに伴い弁操作ワイヤ２２を介して排水弁１５の弁体１７が圧縮スプリング１８の付勢力に抗して引張り上げられ、これにより排水弁１５が開放状態とされる。このとき、弁操作ワイヤ２２が、回動部材５０の回動中心Ｏより図１１において左側に位置することで、回動部材５０が矢印Ａ１方向へ回動することが阻止され、回動部材５０ひいては操作つまみ４１が「排水」位置に保持される。
【００２８】
図１１の「排水」位置にある状態から操作つまみ４１が「強水流」位置まで回動される場合は、回動部材５０（排水弁操作部５６）が上述とは逆向きに回動し、図５に示す「強水流」位置の状態へ戻されるとともに、排水弁１５の弁体１７は、圧縮スプリング１８の付勢力により閉鎖位置に戻され、排水弁１５は閉鎖状態となる。このときも、連動部材６３は移動しないとともに、水流切替用レバー４６は回動操作されず「強水流」位置のままである。
【００２９】
上記した実施形態においては、次のような作用効果を得ることができる。水流切替用および排水弁開閉用の一つの操作つまみ４１により一つの回動部材５０を回動操作することで、水流の切替と排水弁１５の開閉動作の切替とを行うことができる。しかも、本実施形態においては、特に回動部材５０に設けたカム溝５２における水流切替用溝部５４により連動部材６３を介して水流切替用レバー４６を往復回動させることができる。このため、「強水流」→「弱水流」、および「弱水流」→「強水流」の両方の切替動作を回動部材５０の回動動作のみで行わせることができ、連動部材を元位置へ戻すためのばね等の付勢手段を別途必要とせず、構成部品を少なくすることができるとともに、構成を簡素にでき、しかも、切替動作の信頼性を向上できる。
【００３０】
また、カム溝５２のうち排水弁開閉用溝部５３は回動部材５０の回動中心Ｏからの半径ｒがほぼ一定の円弧状に形成されていて、この排水弁開閉用溝部５３が連動部材６３の挿入部６５に対して移動する領域では排水弁操作部５６により排水弁１５を開閉動作させるが、水流切替用レバー４６は回動させない。また、カム溝５２のうち水流切替用溝部５４は回動部材５０の回動中心Ｏからの半径ｒが変化するように形成されていて、この水流切替用溝部５４が連動部材６３の挿入部６５に対して移動する領域では連動部材６３を介し水流切替用レバー４６を回動させて水流の切替を行うが、排水弁１５の開閉動作はしないように構成されている。このような構成によれば、一つの回動部材５０を使用していながら、水流の切替をしている位置では排水弁１５の開閉は変化せず、また、排水弁１５の開閉を切り替える位置では、水流切替用レバー４６の位置はそのままで変化しないようにでき、操作性を確保することができる。
【００３１】
カム溝５２は、回動部材５０の回動中心Ｏからの半径ｒがほぼ一定の円弧状に形成された排水弁開閉用溝部５３と、回動部材５０の回動中心Ｏからの半径ｒが変化するように形成された水流切替用溝部５４とが連続して設けられていて、排水弁開閉用溝部５３と水流切替用溝部５４との接続部分５５ではそれぞれの接線が連続するようにつながっている構成としている。これにより、接続部分５５は滑らかな曲線状となる。この結果、回動部材５０を回動操作して、挿入部６５に対して、半径が一定の排水弁開閉用溝部５３から、半径が変化する水流切替用溝部５４へ連続して切り替える際に、回動部材５０および挿入部６５をスムーズに動作させることができ、長期使用でも故障の発生を少なくすることができる。
【００３２】
連動部材６３の挿入部６５が挿入される固定側ガイド溝５８を、回動部材５０を回動可能に支持する部品であるベース部材３８に一体に設けるとともに、そのベース部材３８に、水流切替用レバー４６を有する洗濯タイマー４５も取り付けている。このような構成とすることで、固定側ガイド溝５８、回動部材５０、洗濯タイマー４５の水流切替用レバー４６、連動部材６３の組立時の位置ずれを防止でき、安定した切替動作を保障することができる。
【００３３】
（その他の実施形態）
水流切替用レバー４６は、水流を形成するパルセータ７の反転時限を切り替えることで水流を強水流と弱水流に切り替えるものであるが、水流の強さそのものを切り替えるものであってもよい。
【００３４】
以上説明したように本実施形態の洗濯機によれば、一つの回動部材を回動操作することで、水流の切替と排水弁の開閉動作の切替とを行うことができる。しかも、本実施形態においては、特に回動部材に設けたカム溝における水流切替用溝部により連動部材を介して水流切替用レバーを往復回動させることができる。このため、「強水流」→「弱水流」、および「弱水流」→「強水流」の両方の切替動作を回動部材の回動動作のみで行わせることができ、連動部材を元位置へ戻すためのばね等の付勢手段を別途必要とせず、構成部品を少なくすることができるとともに、構成を簡素にでき、しかも、切替動作の信頼性を向上できる。
【００３５】
本発明の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
図面中、１は洗濯機本体、４は洗濯槽、５は脱水槽、１５は排水弁、２２は弁操作ワイヤ、３７は操作部、４１は水流切替用および排水弁開閉用の操作つまみ、４５は洗濯タイマー、４６は水流切替用レバー、５０は回動部材、５２はカム溝、５３は排水弁開閉用溝部、５４は水流切替用溝部、５５は接続部分、５６は排水弁操作部、５８は固定側ガイド溝、６３は連動部材、６４は連結部（一端部）、６５は挿入部（他端部）を示す。
【図１】
2014030592.tif 000003
【図２】
2014030592.tif 000004
【図３】
2014030592.tif 000005
【図４】
2014030592.tif 000006
【図５】
2014030592.tif 000007
【図６】
2014030592.tif 000008
【図７】
2014030592.tif 000009
【図８】
2014030592.tif 000010
【図９】
2014030592.tif 000011
【図１０】
2014030592.tif 000012
【図１１】
2014030592.tif 000013